(57)【要約】【課題】接触式と非接触の両充電方式に対応しつつ、被充電機器の大型化を抑えることができる充電システムを提供する。【解決手段】着脱自在の二次電池１１を備えたデジタルカメラ１０と、デジタルカメラ１０から取り外された状態の二次電池１１を接点により直接的に充電する接触式の接触式充電器３０と、二次電池１１がデジタルカメラ１０に取り付けられた状態で電磁誘導作用により間接的に充電する非接触式の非接触式充電器２０とを備える。【選択図】図１
2011205768.tif 000002
【特許請求の範囲】
【請求項１】
着脱自在の二次電池を備えた被充電機器と、
前記被充電機器から取り外された状態の前記二次電池を接点により直接的に充電する接触式の第１充電手段と、
前記二次電池が前記被充電機器に取り付けられた状態で電磁誘導作用により間接的に充電する非接触式の第２充電手段とを備えるものであり、
前記被充電機器は、前記二次電池と導通するための機器側接続端子と、前記第２充電手段から非接触にて供給された電力を前記二次電池へと出力する受電部とを備え、
前記第１充電手段は、前記二次電池と導通するための接続端子と、商用電源の電力を前記二次電池の定格に合わせて変換する第１の電力変換部とを備え、
前記第２充電手段は、前記二次電池へと非接触にて電力を出力する送電部と、商用電源の電力を前記送電部にて出力する電力に合わせて変換する第２の電力変換部とを備えたことを特徴とする充電システム。
【発明の詳細な説明】
【技術分野】
【０００１】
本発明は、被充電機器（携帯機器等）の電源用の二次電池を充電する充電システムに関するものである。
【背景技術】
【０００２】
従来、被充電機器の二次電池を充電する充電方式を、接点により直接的に充電する接触式と、コイルの電磁誘導作用等により間接的に充電する非接触式の充電方式とのいずれかで選択できる充電システムが知られている。例えば、特許文献１の充電システムでは、接触式で充電する場合、充電器及び被充電機器にそれぞれ設けられたコネクタを接続して被充電機器に内蔵の二次電池を充電する。一方、非接触式で充電する場合には、充電器及び被充電機器にそれぞれ設けられた電力伝送用コイルの電磁誘導作用を利用して被充電機器に内蔵の二次電池の充電を行うようになっている。
【０００３】
接触式の充電方式は、コネクタの接続操作が必要ではあるが、非接触式に比べて充電時間が少なくて済む。一方、非接触式の充電システムは、接触式に比べて充電時間が長く掛かるが、コネクタの接続操作が不要であり、例えば充電器に被充電機器を載置するだけで充電可能となる。従って、特許文献１のような充電システムでは、状況に応じて適切な充電方法をユーザが選択でき、利便性が向上されている。
【先行技術文献】
【特許文献】
【０００４】
【特許文献１】特開２００３−１５３４５６号公報
【発明の概要】
【発明が解決しようとする課題】
【０００５】
しかしながら、特許文献１のような充電システムでは、被充電機器を接触式と非接触の両充電方式に対応させるためにコネクタを設ける必要があるため、被充電機器の大型化を招いていた。
【０００６】
本発明は、上記課題を解決するためになされたものであって、その目的は、接触式と非接触の両充電方式に対応しつつ、被充電機器の大型化を抑えることができる充電システムを提供することにある。
【課題を解決するための手段】
【０００７】
上記課題を解決するために、請求項１に記載の発明は、着脱自在の二次電池を備えた被充電機器と、前記被充電機器から取り外された状態の前記二次電池を接点により直接的に充電する接触式の第１充電手段と、前記二次電池が前記被充電機器に取り付けられた状態で電磁誘導作用により間接的に充電する非接触式の第２充電手段とを備えるものであり、前記被充電機器は、前記二次電池と導通するための機器側接続端子と、前記第２充電手段から非接触にて供給された電力を前記二次電池へと出力する受電部とを備え、前記第１充電手段は、前記二次電池と導通するための接続端子と、商用電源の電力を前記二次電池の定格に合わせて変換する第１の電力変換部とを備え、前記第２充電手段は、前記二次電池へと非接触にて電力を出力する送電部と、商用電源の電力を前記送電部にて出力する電力に合わせて変換する第２の電力変換部とを備えたことを特徴とする。
【０００８】
この発明では、二次電池が被充電機器に取り付けられた状態で第２充電手段にて非接触式で充電することが可能であるとともに、被充電機器から取り外された状態の二次電池を第１充電手段にて接触式で充電可能である。従って、被充電機器に充電器と接続するためのコネクタを設けなくても済むため、接触式と非接触の両充電方式に対応して利便性を向上させつつも、被充電機器の大型化を抑えることができる。
【発明の効果】
【０００９】
従って、上記記載の発明によれば、接触式と非接触の両充電方式に対応しつつ、被充電機器の大型化を抑えることができる。
【図面の簡単な説明】
【００１０】
【図１】本実施形態の充電システムの構成図であって、（ａ）は、二次電池を非接触式で充電する際の図であり、（ｂ）は、二次電池を接触式で充電する際の図である。
【発明を実施するための形態】
【００１１】
以下、本発明を具体化した一実施形態を図面に従って説明する。
図１（ａ）（ｂ）は、小型のデジタルカメラ１０の電源用の二次電池１１を充電する本実施形態の充電システムを示す。本実施形態の充電システムでは、二次電池１１を充電する充電方式を、接点により直接的に充電する接触式（図１（ｂ）参照）と、電磁誘導作用により間接的に充電する非接触式（図１（ａ）参照）のいずれかでユーザが選択可能となっている。
【００１２】
図１（ａ）に示すように、デジタルカメラ１０は、静止画や動画の撮影等、主たる機能を実行するための機能回路１２と、非接触式充電器２０から非接触にて供給された電力を二次電池１１へと出力する受電部１３とが内蔵されている。また、デジタルカメラ１０は、二次電池１１が着脱可能な電池取付部１０ａを有している。機能回路１２は、デジタルカメラ１０内の機器側接続端子１４によって、デジタルカメラ１０に取り付けられた二次電池（電池パック）１１と導通されるとともに、その二次電池１１からの電源供給に基づいて動作する。
【００１３】
非接触式充電器２０は、平滑回路２１と、発振回路２２（第２の電力変換部）と、送電部としての電力伝送コイル２３とを備えている。発振回路２２は、平滑回路２１にて平滑化された商用電源からの電力を電力伝送コイル２３にて出力する電力に合わせて変換し、その変換した電力を電力伝送コイル２３に出力する。電力伝送コイル２３は、発振回路２２から出力された電力に基づいてデジタルカメラ１０に対して磁気的に電力を出力する。
【００１４】
受電部１３は、電力受電コイル１５と、整流回路１６と、充電制御回路１７とから構成されている。整流回路１６は、電力受電コイル１５を通じて受電した非接触式充電器２０からの交流電力を直流電力に整流する。充電制御回路１７は、整流回路１６からの直流電力を二次電池１１の定格に合わせた所定の直流電力に変換するものであり、二次電池１１はその直流電力にて充電される。これにより、二次電池１１は、デジタルカメラ１０に取り付けられた状態で非接触式充電器２０によって非接触で充電されるようになっている。
【００１５】
図１（ｂ）に示すように、接触式充電器３０は、デジタルカメラ１０から取り外された状態の二次電池１１を接点により直接的に充電するものであり、二次電池１１が着脱可能な電池取付部３０ａと、充電器側接続端子３１と、充電回路３２（第１の電力変換部）とを備えている。接触式充電器３０の電池取付部３０ａに取り付けられた二次電池１１は、充電器側接続端子３１によって充電回路３２と導通される。充電回路３２は、商用電源の電力を二次電池１１の定格に合わせて変換し、二次電池１１はその電力にて充電されるようになっている。
【００１６】
このように本実施形態の充電システムでは、デジタルカメラ１０から取り外された状態の二次電池１１を接触式充電器３０にて接触式で充電可能であるとともに、デジタルカメラ１０に取り付けられた状態の二次電池１１を非接触式充電器２０にて非接触式で充電可能となっている。これにより、状況に応じて接触式と非接触式でユーザが充電方法を選択できて利便性が向上するとともに、接触式充電に対応するためのコネクタをデジタルカメラ１０に設けなくても済むため、接触式充電に対応しつつもデジタルカメラ１０の大型化を抑えることができるようになっている。
【００１７】
次に、本実施形態の特徴的な作用効果を記載する。
（１）着脱自在の二次電池１１を備えたデジタルカメラ１０と、デジタルカメラ１０から取り外された状態の二次電池１１を接点により直接的に充電する接触式の接触式充電器３０と、二次電池１１がデジタルカメラ１０に取り付けられた状態で電磁誘導作用により間接的に充電する非接触式の非接触式充電器２０とを備える。デジタルカメラ１０は、二次電池１１と導通するための機器側接続端子１４と、非接触式充電器２０から非接触にて供給された電力を二次電池１１へと出力する受電部１３とを備える。接触式充電器３０は、二次電池１１と導通するための充電器側接続端子３１と、商用電源の電力を二次電池１１の定格に合わせて変換する充電回路３２とを備える。そして、非接触式充電器２０は、二次電池１１へと非接触にて電力を出力する電力伝送コイル２３と、商用電源の電力を電力伝送コイル２３にて出力する電力に合わせて変換する発振回路２２とを備える。これにより、二次電池１１がデジタルカメラ１０に取り付けられた状態で非接触式充電器２０にて非接触式で充電することが可能であるとともに、デジタルカメラ１０から取り外された状態の二次電池１１を接触式充電器３０にて接触式で充電可能である。従って、デジタルカメラ１０に充電器と電気的に接続するためのコネクタを設けなくても済むため、接触式と非接触の両充電方式に対応して利便性を向上させつつも、デジタルカメラ１０の大型化を抑えることができる。
【００１８】
尚、本発明の実施形態は、以下のように変更してもよい。
・上記実施形態では、第１充電手段と第２充電手段とをそれぞれ別の充電器（接触式充電器３０及び非接触式充電器２０）で構成したが、第１充電手段と第２充電手段とを１つの充電器に備える構成としてもよい。
【００１９】
・上記実施形態では、デジタルカメラ１０の充電システムに適用したが、これ以外に例えば、携帯電話やゲーム機器等の充電システムに適用してもよい。
【符号の説明】
【００２０】
１０…被充電機器としてのデジタルカメラ、１１…二次電池、１３…受電部、１４…機器側接続端子、２０…第２充電手段としての非接触式充電器、２２…第２の電力変換部としての発振回路、２３…送電部としての電力伝送コイル、３０…第１充電手段としての接触式充電器、３１…充電器側接続端子、３２…第１の電力変換部としての充電回路。
【図１】
2011205768.tif 000003